(57)【特許請求の範囲】
【請求項１】
壁部または天井を貫通して設けられる風洞パイプと、前記風洞パイプに挿着し内部にファンモーターが設けられた筒状部と、前記筒状部の室内側開口の外周に半径方向に張り出したフランジ部と、前記ファンモーターを前記筒状部に保持する複数のモーター支持脚と、前記フランジ部に着脱自在に取り付けられるグリルとを有し、前記複数のモーター支持脚の１つに外方に開口した凹部を設け、前記凹部には、前記ファンモーターに接続された電源接続端子を含む電装品を内設するとともに、前記風洞パイプ内の風路と仕切る蓋を開閉自在に設け、前記風洞パイプの側面に電源電線を挿入するための電源電線挿入口を設けたものであって、前記電装品を前記蓋の裏面に固着したことを特徴とする換気装置。
【請求項２】
風洞パイプは、直径の異なる第１の風洞パイプと第２の風洞パイプを摺動自在に嵌合して、任意の箇所で固定することを特徴とする請求項１記載の換気装置。
【発明の詳細な説明】
【技術分野】
【０００１】
本発明は、モーターと電気的に接続された電源接続端子を備えた換気装置に関する。
【背景技術】
【０００２】
従来、この種の換気装置として、本体枠内に電源接続端子を備えた電装ケースを配設したものが知られている（例えば、特許文献１参照）。
【０００３】
以下、その換気装置について図８を参照しながら説明する。
【０００４】
図８に示すように、ファンモーター１００を備えた換気扇本体１０１の背面側に凹部１０２を形成したフランジ部１０３を設け、凹部１０２にファンモーター１００と電気的に接続された２個の電源接続端子１０４を収納した保護ケース１０５を配設している。
【特許文献１】特開２００６−２５０４３４号公報（図１）
【発明の開示】
【発明が解決しようとする課題】
【０００５】
このような従来の換気装置は、フランジ部１０３を壁面に当接させ室内側へ突出するように取り付けるものであるが、フランジ部１０３の背面側に形成された凹部１０２に電源接続端子１０４を収納した保護ケース１０５を設けているため、フランジ部１０３は保護ケース１０５の厚さ分の立上がりが必要であり、壁面から室内への突出寸法が大きくなるという課題があった。
【０００６】
本発明は、このような従来の課題を解決するものであり、室内側への突出寸法を小さくした換気装置を提供することを目的とする。
【課題を解決するための手段】
【０００９】
本発明の換気装置は、上記目的を達成するために、壁部または天井を貫通して設けられる風洞パイプと、前記風洞パイプに挿着し内部にファンモーターが設けられた筒状部と、前記筒状部の室内側開口の外周に半径方向に張り出したフランジ部と、前記ファンモーターを前記筒状部に保持する複数のモーター支持脚と、前記フランジ部に着脱自在に取り付けられるグリルとを有し、前記複数のモーター支持脚の１つに外方に開口した凹部を設け、前記凹部には、前記ファンモーターに接続された電源接続端子を含む電装品を内設するとともに、前記風洞パイプ内の風路と仕切る蓋を開閉自在に設け、前記風洞パイプの側面に電源電線を挿入するための電源電線挿入口を設けたものであって、前記電装品を前記蓋の裏面に固着したものである。
【００１０】
また、他の手段は、風洞パイプは、直径の異なる第１の風洞パイプと第２の風洞パイプを摺動自在に嵌合して、任意の箇所で固定するものである。
【発明の効果】
【００１４】
本発明によれば、壁部または天井を貫通して設けられる風洞パイプと、前記風洞パイプに挿着し内部にファンモーターが設けられた筒状部と、前記筒状部の室内側開口の外周に半径方向に張り出したフランジ部と、前記ファンモーターを前記筒状部に保持する複数のモーター支持脚と、前記フランジ部に着脱自在に取り付けられるグリルとを有し、前記複数のモーター支持脚の１つに外方に開口した凹部を設け、前記凹部には、前記ファンモーターに接続された電源接続端子を含む電装品を内設するとともに、前記風洞パイプ内の風路と仕切る蓋を開閉自在に設け、前記風洞パイプの側面に電源電線を挿入するための電源電線挿入口を設けたものであって、前記電装品を前記蓋の裏面に固着したことにより、万一、電装品を内設したモーター支持脚の凹部に水滴が侵入しても、電装品と凹部内の水滴との間に物理的な離隔距離ができて、トラッキング等の発生がなく、より信頼性が高くなる。
【００１５】
また、風洞パイプは、直径の異なる第１の風洞パイプと第２の風洞パイプを摺動自在に嵌合して、任意個所で固定することにより、電源電線挿入口を設けた風洞パイプは、壁部等により異なる壁厚に適合するように風洞パイプの長さを調整することができるため、施工が容易になる。
【発明を実施するための最良の形態】
【００１９】
本発明の請求項１記載の換気装置は、壁部または天井を貫通して設けられる風洞パイプと、前記風洞パイプに挿着し内部にファンモーターが設けられた筒状部と、前記筒状部の室内側開口の外周に半径方向に張り出したフランジ部と、前記ファンモーターを前記筒状部に保持する複数のモーター支持脚と、前記フランジ部に着脱自在に取り付けられるグリルとを有し、前記複数のモーター支持脚の１つに外方に開口した凹部を設け、前記凹部には、前記ファンモーターに接続された電源接続端子を含む電装品を内設するとともに、前記風洞パイプ内の風路と仕切る蓋を開閉自在に設け、前記風洞パイプの側面に電源電線を挿入するための電源電線挿入口を設けたものであって、前記電装品を前記蓋の裏面に固着したものであり、電装品と凹部との間に物理的な離隔距離を確保できる。
【００２０】
また、請求項２記載の換気装置は、風洞パイプは、直径の異なる第１の風洞パイプと第２の風洞パイプを摺動自在に嵌合して、任意の箇所で固定する構成としたものであり、風洞パイプは、壁部等による壁厚の相違に容易に対応できる。
【００２２】
以下、本発明の実施の形態について、図１〜図７を参照しながら説明する。
【００２３】
（実施の形態１）
本発明の実施の形態１の換気装置は、図１〜図３に示すように、外壁に室内と室外を貫通して設けられる、あるいは、天井に室内と天井裏を貫通して設けられる風洞パイプ１と、風洞パイプ１に挿入して取り付けられ、内部にモーター支持脚２を介してファンモーター３を設け通風路を形成した筒状部４と、筒状部４の室内側開口５の外周に半径方向に略方形状に張り出し、室内側の壁面に当接して固定されるフランジ部６と、フランジ部６に筒状部４の室内側開口５を覆って着脱自在に取り付けられるグリル７とからなる。
【００２４】
そして、モーター支持脚２は複数設けられ、そのうち上部に配置された上部モーター支持脚２Ａに、上向きとなる外方に開口した凹部８を形成し、凹部８には、ファンモーター３にリード線で接続された電源接続端子９と、たとえばプロテクター等とからなる電装品１０が内設されている。また、図４に示すように、凹部８には、凹部８内と風洞パイプ１内の風路とを仕切る蓋１１を、着脱自在にして開閉できるように設けている。
【００２５】
また、風洞パイプ１には、その側面に、電源接続端子９と電源を接続する電源電線を内側に引き込むために挿入する電源電線挿入口１２を設けている。
【００２６】
なお、図１〜図３は、風洞パイプ１内の構成を理解しやすいように、風洞パイプ１を透明とし、蓋１１を取り付けていない状態で表示している。
【００２７】
上記構成の換気装置は、以下のように外壁等に設置される。
【００２８】
電源電線が壁内で換気装置設置箇所付近まで配線され、その電源電線を一旦、風洞パイプ１を取り付ける外壁等の開口から室内側に引き出し、風洞パイプ１の電源電線挿入口１２から内側に挿入する。風洞パイプの内側に挿入された電源電線を端部側の開口から引き出した状態で、風洞パイプ１を外壁等に取り付ける。そして、上部モーター支持脚２Ａの凹部８に設けられた蓋１１を取り外して開け、電源電線を電源接続端子９に接続し、蓋１１を再度取り付けて閉じる。この接続作業の後、筒状部４を、風洞パイプ１に挿入し、フランジ部６を室内側の壁面に当接させて取り付け、フランジ部６にグリル７を装着する。
【００２９】
このように、本実施の形態１の換気装置は、電源接続端子９を含む電装品１０が、風洞パイプ１内に位置する上部モーター支持脚２Ａの凹部８に内設され、フランジ部６の室内側壁面に当接する背面側には、電装品１０を収納する大きさの凹部を形成する必要がなく、室内側に突出するフランジ部６の立ち上がり寸法を小さくすることができる。
【００３０】
また、電装品１０は、複数のモーター支持脚２のうち、上部モーター支持脚２Ａに形成された凹部８に設けられるので、風洞パイプ１から侵入して内部に付着し、流下していく雨水等の水滴は電装品１０側へは流れていかず、水滴による電装品１０におけるトラッキング等の発生を防止することができる。
【００３１】
また、電装品１０は、凹部８内に設けられ、蓋１１によって風洞パイプ１内の風路と仕切られているので、風路中の埃の付着や、通風流の風圧を受けることがなく、保護されることとなる。
【００３２】
また、電源電線を風洞パイプ１に設けた電源電線挿入口１２から内部に引き込んで、内部に配設された電源接続端子に接続できるので、室内側壁に電源電線引き出し用の孔を開けて室内側に電源接続端子を固定する必要がないので、施工が容易となる。
【００３３】
（実施の形態２）
本発明の実施の形態２の換気装置は、図５に示すように、上記実施の形態１の換気装置に対し、電装品１０を、上部モーター支持脚２Ａの凹部８に開閉自在に設けられる蓋１１の裏面に固着した点に特徴がある。
【００３４】
ここで凹部８の深さは、蓋１１の裏面に固着した電装品１０の下端面と凹部８の底面との間に所定の離隔距離が得られるように、設定している。
【００３５】
上記構成により、雨水等の水滴が風洞パイプ１から侵入し、万一、上部モーター支持脚２Ａの凹部８内に侵入しても、水滴と電装品１０との間に物理的な離隔距離を確保でき、電装品１０におけるトラッキング等の発生が起こることはない。なお、電装品１０の下端面と凹部８の底面との間の離隔距離は、水滴が表面張力による盛り上がりで電装品１０に接触しないことを考慮して、５ｍｍ以上とすることが望ましい。
【００３６】
また、電源接続端子９が着脱自在の蓋１１に固着されているので、電源電線の接続作業が取り外した蓋１１だけを手に持ってできるので、施工性が向上する。
【００３７】
（実施の形態３）
本発明の実施の形態３の換気装置は、図６に示すように、上記実施の形態１の換気装置に対し、風洞パイプ１Ａが、第１の風洞パイプ１ａと、直径が第１の風洞パイプ１ａの直径よりやや大きい第２の風洞パイプ１ｂとを、摺動自在に嵌合してなる点に特徴がある。
【００３８】
ところで、建物の外壁は、その壁厚が建物によって厚いものから薄いものまで各種ある。
【００３９】
このような背景に対して、本実施の形態３の風洞パイプ１Ａは、取り付ける外壁の壁厚に合うように、第１の風洞パイプ１ａと第２の風洞パイプ１ｂを摺動させて全長を調節し、調節後の箇所で第１の風洞パイプ１ａと第２の風洞パイプ１ｂを固定することによって、１種類の風洞パイプ１Ａで、パイプを切断するようなことなく、容易に対応でき、換気装置設置の施工性がさらに向上する。
【００４０】
（実施の形態４）
本発明の実施の形態４の換気装置は、図７に示すように、上記実施の形態１の換気装置に対し、隣接する２つの居室１３Ａ、１３Ｂの間を仕切る間仕切壁１４を貫通して風洞パイプ１を設けて設置する換気装置である点に特徴がある。なお、筒状部４、ファンモーター３、モーター支持脚２等の構成要素は、上記実施の形態１と同一である。
【００４１】
本実施の形態４の換気装置は、隣接する一方の居室１３Ａからもう一方の居室１３Ｂに送風し、居室１３Ｂしか換気扇が設置されていない場合に、換気扇が設置されていない居室１３Ａの効率的な換気、あるいは、居室１３Ａで空調された空気を空調されていない居室１３Ｂに送風して、両居室１３Ａ、１３Ｂを空調する場合に、運転される。
【００４２】
このような用途で設置される換気装置は、外壁側よりも居室１３Ａの内方に位置する間仕切壁１４にフランジ部６が当接した状態で取り付けられ、フランジ部６に装着されるグリル７は目に付きやすいが、フランジ部６の立ち上がり寸法が小さいので、グリル７の室内側への突出寸法を小さくでき、インテリア性を低下させない効果がより顕著なものとなる。
【産業上の利用可能性】
【００４３】
本発明に係る換気装置は、電装品を壁部内に配設して、壁面から突出する寸法は小さくすることができるという効果を有し、壁部等を貫通して設けられる風洞パイプに本体を挿着する換気装置に有用である。
【図面の簡単な説明】
【００４４】
【図１】本発明の実施の形態１の換気装置を示す背面側斜視図
【図２】同換気装置の背面図
【図３】同換気装置の分解斜視図
【図４】同換気装置のモーター支持脚と蓋の斜視図
【図５】本発明の実施の形態２の換気装置のモーター支持脚と蓋の斜視図
【図６】本発明の実施の形態３の風洞パイプの斜視図
【図７】本発明の実施の形態４の換気装置を示す設置時断面図
【図８】従来の換気扇を示す背面側斜視図
【符号の説明】
【００４５】
１      風洞パイプ
１Ａ    風洞パイプ
１ａ    第１の風洞パイプ
１ｂ    第２の風洞パイプ
２      モーター支持脚
２Ａ    上部モーター支持脚
３      ファンモーター
４      筒状部
５      室内側開口
６      フランジ部
７      グリル
８      凹部
９      電源接続端子
１０    電装品
１１    蓋
１２    電源電線挿入口
１３Ａ  居室
１３Ｂ  居室
１４    間仕切壁
【図１】
0005223479.tif 000002
【図２】
0005223479.tif 000003
【図３】
0005223479.tif 000004
【図４】
0005223479.tif 000005
【図５】
0005223479.tif 000006
【図６】
0005223479.tif 000007
【図７】
0005223479.tif 000008
【図８】
0005223479.tif 000009